【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
マイクロ波エネルギーを組織に印加するためのマイクロ波エネルギー源に連結されるように適合される医療デバイスであって、該医療デバイスは、
遮蔽要素を有する伝送線と、
マイクロ波エネルギーを組織に印加するように構成されるマイクロ波アンテナであって、該アンテナは、該伝送線を介して該マイクロ波エネルギー源に動作可能に連結される放射部材と、アンテナ誘電体と、該遮蔽要素に電気的に連結される成形部材であって、導電性である成形部材とを備えるアンテナと
を備え、該放射部材は、該放射部材によるマイクロ波エネルギーの印加により第１の成形されていないマイクロ波エネルギー場を生成する第１のプロファイルを備え、成形要素は、第２のプロファイルを備え、該第２のプロファイルは、該第１の成形されていないマイクロ波エネルギー場に結合して、該第１の成形されていないマイクロ波エネルギー場を該アンテナの周囲に実質的に均一かつ容量的に延在する第２の成形されたマイクロ波エネルギー場に改変する、デバイス。
【請求項２】
前記アンテナは、臨床使用中に前記伝送線の遠位端に対して屈曲するほど十分に可撓性である、請求項１に記載のデバイス。
【請求項３】
前記アンテナは、前記伝送線のサイズと実質的に同様の圧縮された配備前サイズを有するほど十分に可撓性である、請求項２に記載のデバイス。
【請求項４】
前記アンテナは、実質的に直線状の配備前構成から実質的に非直線状の配備構成に変化するほど十分に可撓性である、請求項２に記載のデバイス。
【請求項５】
前記放射要素の前記第１のプロファイルは、直線状のプロファイル、実質的に平面のプロファイル、または３次元のプロファイルから成る群より選択されるプロファイルを備える、請求項１に記載のデバイス。
【請求項６】
前記アンテナは、前記伝送線の遠位端に接続され、前記放射部材および前記成形部材は、該伝送線の遠位端の遠位に位置する、請求項１に記載のデバイス。
【請求項７】
前記放射部材は、非直線状の導体を備える、請求項１に記載のデバイス。
【請求項８】
前記放射部材は、螺旋状の導体を備える、請求項１に記載のデバイス。
【請求項９】
前記放射部材は、組織または前記成形部材から絶縁されたままでいるために電気的に絶縁されたカバーを備える、請求項１に記載のデバイス。
【請求項１０】
前記伝送線は、内側導体および外側導体を有する同軸ケーブルを備え、前記遮蔽要素は、該外側導体に電気的に連結され、前記放射部材は、該内側導体に電気的に連結される、請求項１に記載のデバイス。
【請求項１１】
前記放射部材は、４３３ＭＨｚ  ＩＳＭ帯域、９１５ＭＨｚ  ＩＳＭ帯域、２．４５ＧＨｚ  ＩＳＭ帯域、および５．８ＧＨｚ  ＩＳＭ帯域のうちの少なくとも１つにおける有効波長の４分の１の奇数倍数の長さを備える、請求項１に記載のデバイス。
【請求項１２】
前記放射部材は、前記伝送線の導体の継続を備える、請求項１に記載のデバイス。
【請求項１３】
少なくとも１つの付加的な放射部材をさらに備える、請求項１に記載のデバイス。
【請求項１４】
少なくとも１つの付加的な成形部材をさらに備える、請求項１に記載のデバイス。
【請求項１５】
前記成形部材は、前記アンテナの長さに沿って前記第１の成形されていないマイクロ波エネルギー場よりも均一になるよう前記第２の成形されたマイクロ波エネルギー場を成形するように構成される、請求項１に記載のデバイス。
【請求項１６】
前記成形部材は、前記伝送線の前記遠位端から前記第１の成形されていないマイクロ波エネルギー場よりもさらに遠位に、前記第２の成形されたマイクロ波エネルギー場を成形するように構成される、請求項１に記載のデバイス。
【請求項１７】
前記成形部材は、実質的に直線状である、請求項１に記載のデバイス。
【請求項１８】
前記放射部材と前記成形部材とは、実質的に平行である、請求項１に記載のデバイス。
【請求項１９】
前記放射部材は、実質的に平面であり、前記成形部材は、実質的に平面であり、該放射部材の平面は、該成形部材の平面と実質的に平行である、請求項１に記載のデバイス。
【請求項２０】
前記放射部材は、前記成形部材を実質的に取り囲んでいる、請求項１に記載のデバイス。
【請求項２１】
前記成形部材は、マイクロ波エネルギーを送達するときに前記アンテナの反射減衰量を低減する、請求項１に記載のデバイス。
【請求項２２】
前記成形部材は、前記アンテナが許容性能を達成する周波数範囲を増加させる、請求項１に記載のデバイス。
【請求項２３】
前記放射部材は、誘電材料内に封入される、請求項１に記載のデバイス。
【請求項２４】
前記成形部材は、誘電材料内に封入される、請求項１に記載のデバイス。
【請求項２５】
前記アンテナ誘電体は、ＥＰＴＦＥ、ＰＴＦＥ、ＦＥＰ、および他のフッ素重合体、シリコーン、空気、ＰＥＥＫ、ポリイミド、天然ゴム、人造ゴム、およびそれらの組み合わせから成る群から選択される、請求項１に記載のデバイス。
【請求項２６】
前記第２の成形されたマイクロ波エネルギー場は、実質的に細長い、請求項１に記載のデバイス。
【請求項２７】
前記第２の成形されたマイクロ波エネルギー場は、前記アンテナの周囲において実質的に放射方向に対称である、請求項１に記載のデバイス。
【請求項２８】
前記第２の成形されたマイクロ波エネルギー場は、実質的に左右対称である、請求項１に記載のデバイス。
【請求項２９】
前記第２の成形されたマイクロ波エネルギー場は、前記アンテナの遠位端においてより広く、該アンテナの近位端においてより狭い、請求項１に記載のデバイス。
【請求項３０】
前記第２の成形されたマイクロ波エネルギー場は、前記成形部材を包む、請求項１に記載のデバイス。
【請求項３１】
前記第２の成形されたマイクロ波エネルギー場は、前記放射部材を包む、請求項３０に記載のデバイス。
【請求項３２】
身体領域内で組織を切除するためのシステムであって、該システムは、
該身体領域内に挿入されるように構成されたアンテナを備え、該アンテナは、放射部材と、成形部材と、誘電材料とを備え、該成形部材は、該アンテナの周囲に延在する容量的な成形されたマイクロ波エネルギー場を形成するように、該放射部材によって生成されたマイクロ波エネルギー場を改変するように構成され、該放射部材および成形部材は、各々、それぞれのプロファイルを備え、該放射部材の該プロファイルおよび該成形部材の該プロファイルは、該身体領域の容量に近似するように該容量的な成形されたマイクロ波エネルギー場を形成するように選択され、
該アンテナは、該アンテナの周囲に延在する容量的な成形されたマイクロ波エネルギー場を生成するように構成される、システム。
【請求項３３】
前記アンテナは、前記身体領域における体腔内で前進させられるようにさらに構成され、前記容量的な成形されたマイクロ波エネルギー場は、該体腔の少なくとも一部分を切除する、請求項３２に記載のシステム。
【請求項３４】
前記システムは、マイクロ波エネルギーの１回の印加において、前記体腔を画定する壁の表面を切除するようにさらに構成される、請求項３２に記載のシステム。
【請求項３５】
身体組織を切除するためのシステムであって、該システムは、
該身体組織に近接して配置されるように構成されたアンテナを備え、該アンテナは、成形部材が伝送線の一部分に電気的に接続されるように、放射部材および該成形部材を備え、該放射部材は、マイクロ波場であって、該アンテナの外周を包囲し、該伝送線の遠位端の遠位に実質的に画定されるマイクロ波場を生成することによって標的組織を切除するために第１の損傷を作成するように構成される、システム。
【請求項３６】
成形されたマイクロ波場を産生することによってマイクロ波エネルギーを送達するためのシステムであって、該システムは、
伝送線とアンテナとを備えるマイクロ波デバイスであって、該アンテナは、放射要素と、成形要素とを備え、該放射要素は、第１の成形されていないマイクロ波場を生成するように構成される、マイクロ波デバイスと、
該放射要素に近接する成形部材であって、該成形部材は、該伝送線の遮蔽要素に電気的に接続され、該成形部材は、漏洩電流が該成形部材上に誘発されるように、該放射要素の十分近くに設置されるように構成され、該成形部材は、第２の成形されたマイクロ波場を作成するように、該第１の成形されていないマイクロ波場を成形するように構成される、成形部材と
を含む、システム。
【手続補正２】
【補正対象書類名】明細書
【補正対象項目名】００２６
【補正方法】変更
【補正の内容】
【００２６】
本明細書で開示される、種々のマイクロ波アンテナおよびマイクロ波工学原理は、種々の非医療ならびに医療用途で使用されてもよい。本明細書で開示されるマイクロ波アンテナの近接場は、食物、工業製品、半導体等の標的材料上で使用されてもよい。本明細書で開示されるマイクロ波アンテナの近接場は、食物を調理または加熱するために、製品を乾燥および硬化させるための工業過程で、反応性イオンエッチングおよびプラズマ化学気相成長法（ＰＥＣＶＤ）等の過程のためのプラズマを生成する半導体処理技法で、使用されてもよい。
本発明は、例えば、以下の項目も提供する。
（項目１）
マイクロ波エネルギーを組織に印加するためのマイクロ波エネルギー源に連結されるように適合される医療デバイスであって、該医療デバイスは、
遮蔽要素を有する伝送線と、
マイクロ波エネルギーを組織に印加するように構成されるマイクロ波アンテナであって、該アンテナは、該伝送線を介して該マイクロ波エネルギー源に動作可能に連結される放射部材と、アンテナ誘電体と、該遮蔽要素に電気的に連結される成形部材であって、導電性である成形部材とを備えるアンテナと
を備え、該放射部材は、該放射部材単独によるマイクロ波エネルギーの印加が第１の成形されていないマイクロ波エネルギー場をもたらすように第１のプロファイルを備え、成形要素は、該成形要素が該第１の成形されていないマイクロ波エネルギー場を該アンテナの周囲に容量的に延在する第２の成形されたマイクロ波エネルギー場に改変するように第２のプロファイルを備える、デバイス。
（項目２）
前記アンテナは、臨床使用中に前記伝送線の遠位端に対して屈曲するほど十分に可撓性である、項目１に記載のデバイス。
（項目３）
前記アンテナは、前記伝送線のサイズと実質的に同様の圧縮された配備前サイズを有するほど十分に可撓性である、項目２に記載のデバイス。
（項目４）
前記アンテナは、実質的に直線状の配備前構成から実質的に非直線状の配備構成に変化するほど十分に可撓性である、項目２に記載のデバイス。
（項目５）
前記放射要素の前記第１のプロファイルは、直線状のプロファイル、実質的に平面のプロファイル、または３次元のプロファイルから成る群より選択されるプロファイルを備える、項目１に記載のデバイス。
（項目６）
前記アンテナは、前記伝送線の遠位端に接続され、前記放射部材および前記成形部材は、該伝送線の遠位端の遠位に位置する、項目１に記載のデバイス。
（項目７）
前記放射部材は、非直線状の導体を備える、項目１に記載のデバイス。
（項目８）
前記放射部材は、螺旋状の導体を備える、項目１に記載のデバイス。
（項目９）
前記放射部材は、組織または前記成形部材から絶縁されたままでいるために電気的に絶縁されたカバーを備える、項目１に記載のデバイス。
（項目１０）
前記伝送線は、内側導体および外側導体を有する同軸ケーブルを備え、前記遮蔽要素は、該外側導体に電気的に連結され、前記放射部材は、該内側導体に電気的に連結される、項目１に記載のデバイス。
（項目１１）
前記放射部材は、４３３ＭＨｚ  ＩＳＭ帯域、９１５ＭＨｚ  ＩＳＭ帯域、２．４５ＧＨｚ  ＩＳＭ帯域、および５．８ＧＨｚ  ＩＳＭ帯域のうちの少なくとも１つにおける有効波長の４分の１の奇数倍数の長さを備える、項目１に記載のデバイス。
（項目１２）
前記放射部材は、前記伝送線の導体の継続を備える、項目１に記載のデバイス。
（項目１３）
少なくとも１つの付加的な放射部材をさらに備える、項目１に記載のデバイス。
（項目１４）
少なくとも１つの付加的な成形部材をさらに備える、項目１に記載のデバイス。
（項目１５）
前記成形部材は、前記アンテナの長さに沿って前記第１の成形されていないマイクロ波エネルギー場よりも均一になるよう前記第２の成形されたマイクロ波エネルギー場を成形するように構成される、項目１に記載のデバイス。
（項目１６）
前記成形部材は、前記伝送線の前記遠位端から前記第１の成形されていないマイクロ波エネルギー場よりもさらに遠位に、前記第２の成形されたマイクロ波エネルギー場を成形するように構成される、項目１に記載のデバイス。
（項目１７）
前記成形部材は、実質的に直線状である、項目１に記載のデバイス。
（項目１８）
前記放射部材と成形部材とは、実質的に平行である、項目１に記載のデバイス。
（項目１９）
前記放射部材は、実質的に平面であり、前記成形部材は、実質的に平面であり、該放射部材の平面は、該成形部材の平面と実質的に平行である、項目１に記載のデバイス。
（項目２０）
前記放射部材は、前記成形部材を実質的に取り囲んでいる、項目１に記載のデバイス。
（項目２１）
前記成形部材は、マイクロ波エネルギーを送達するときに前記アンテナの反射減衰量を低減する、項目１に記載のデバイス。
（項目２２）
前記成形部材は、前記アンテナが許容性能を達成する周波数範囲を増加させる、項目１に記載のデバイス。
（項目２３）
前記放射部材は、誘電材料内に封入される、項目１に記載のデバイス。
（項目２４）
前記成形部材は、誘電材料内に封入される、項目１に記載のデバイス。
（項目２５）
前記アンテナ誘電体は、ＥＰＴＦＥ、ＰＴＦＥ、ＦＥＰ、および他のフッ素重合体、シリコーン、空気、ＰＥＥＫ、ポリイミド、天然ゴム、人造ゴム、およびそれらの組み合わせから成る群から選択される、項目１に記載のデバイス。
（項目２６）
前記第２の成形されたマイクロ波エネルギー場は、実質的に細長い、項目１に記載のデバイス。
（項目２７）
前記第２の成形されたマイクロ波エネルギー場は、前記アンテナの周囲において実質的に放射方向に対称である、項目１に記載のデバイス。
（項目２８）
前記第２の成形されたマイクロ波エネルギー場は、実質的に左右対称である、項目１に記載のデバイス。
（項目２９）
前記第２の成形されたマイクロ波エネルギー場は、前記アンテナの遠位端においてより広く、該アンテナの近位端においてより狭い、項目１に記載のデバイス。
（項目３０）
前記第２の成形されたマイクロ波エネルギー場は、前記成形部材を包む、項目１に記載のデバイス。
（項目３１）
前記第２の成形されたマイクロ波エネルギー場は、前記放射部材を包む、項目３０に記載のデバイス。
（項目３２）
身体領域内で組織を切除する方法であって、該方法は、
該身体領域内にアンテナを挿入することであって、該アンテナは、放射部材と、成形部材と、誘電材料とを備え、該成形部材は、該アンテナの周囲に延在する容量的な成形されたマイクロ波エネルギー場を形成するように、該放射部材によって生成されたマイクロ波エネルギー場を改変し、該放射部材および成形部材は、各々、それぞれのプロファイルを備え、該放射部材の該プロファイルおよび該成形部材の該プロファイルは、該身体領域の容量に近似するように該容量的な成形されたマイクロ波エネルギー場を形成するように選択される、ことと、
該アンテナの周囲に延在する容量的な成形されたマイクロ波エネルギー場を生成するために該アンテナを使用することと
を含む、方法。
（項目３３）
前記身体領域における体腔内で前記アンテナを前進させることをさらに含み、前記容量的な成形されたマイクロ波エネルギー場は、該体腔の少なくとも一部分を切除する、項目３２に記載の方法。
（項目３４）
マイクロ波エネルギーの１回の印加において、前記体腔を画定する壁の表面を切除することをさらに含む、項目３２に記載の方法。
（項目３５）
身体組織を切除する方法であって、該方法は、
該身体組織に近接してアンテナを設置することであって、該アンテナは、成形部材が伝送線の一部分に電気的に接続されるように、放射部材および該成形部材を備える、ことと、
マイクロ波場を生成することによって標的組織を切除するために、第１の損傷を作成することであって、該マイクロ波場は、該アンテナの外周を包囲し、該伝送線の遠位端の遠位に実質的に画定される、ことと
を含む、方法。
（項目３６）
成形されたマイクロ波場を産生することによってマイクロ波エネルギーを送達する方法であって、該方法は、
伝送線と、アンテナとを備えるマイクロ波デバイスを配備することであって、該アンテナは、放射要素と、成形要素とを備える、ことと、
第１の成形されていないマイクロ波場を生成することと、
該放射要素に近接して成形部材を配備することであって、該成形部材は、該伝送線の遮蔽要素に電気的に接続される、ことと、
漏洩電流が該成形部材上に誘発されるように、該放射要素の十分近くに該成形部材を設置することであって、該成形部材は、第２の成形されたマイクロ波場を作成するように、該第１の成形されていないマイクロ波場を成形する、ことと
を含む、方法。